(57)【要約】【課題】  給湯装置用電子制御装置のマイクロコンピュータにて必要な制御端子の数が減らす。【解決手段】  電子制御装置１００は、マイクロコンピュータ１４０から出力される制御信号を受信すると一定期間経過後に風呂系電動アクチュエータ２５を動作開始させる為の駆動信号を出力する遅延回路２１０とを備え、マイクロコンピュータ１４０により制御信号の出力が停止されると、電源遮断回路２００により電源回路１５０および風呂系電動アクチュエータ２５の間を遮断し、さらに遅延回路２１０により駆動信号の出力が停止される。よって、マイクロコンピュータ１４０からの１つの制御信号で、電源遮断回路２００の制御だけでなく、遅延回路２１０の制御を行うため、マイクロコンピュータ１４０にて１つの電動アクチュータに対し制御信号を出力する１つ制御端子だけが用いられる。【選択図】        図３
2006138529.tif 000002
【特許請求の範囲】
【請求項１】
電源（１５０）から電力供給されて動作する電動アクチュエータ（２４、２５、２６）を備える給湯装置に適用される給湯装置用電子制御装置であって、
前記電源および前記電動アクチュエータの間で遮断、接続のいずれか一方を行うアクチュエータ用電源遮断回路（２００）と、
前記電源および前記電動アクチュエータの間を接続する為の制御信号を前記アクチュエータ用電源遮断回路に出力するマイクロコンピュータ（１４０）と、
前記マイクロコンピュータから出力される制御信号を受信すると、一定期間（Ｔ２）経過後にて、前記電動アクチュエータの動作を開始させる為の駆動信号を前記電動アクチュエータに出力するアクチュエータ用遅延回路（２１０）と、を備えており、
前記マイクロコンピュータにより前記制御信号の出力が停止されると、前記アクチュエータ用電源遮断回路により前記電源および前記電動アクチュエータの間を遮断し、さらに前記アクチュエータ用遅延回路により前記駆動信号の出力が停止されるようになっていることを特徴とする給湯装置用電子制御装置。
【請求項２】
前記給湯装置には、二つ以上の前記電動アクチュエータ（２４、２５、２６）が設けられており、
前記アクチュエータ用電源遮断回路は、前記二つ以上の電動アクチュエータおよび前記電源の間で遮断、接続のいずれか一方を行うものであることを特徴とする請求項１に記載の給湯装置用電子制御装置。
【請求項３】
前記アクチュエータ用電源遮断回路は、積分回路を有して構成されていることを特徴とする請求項１または２に記載の給湯装置用電子制御装置。
【請求項４】
前記給湯装置には、前記電源から電力供給されて、検出対象の状態を検出して検出出力を前記マイクロコンピュータの入力端子に出力するセンサ（５０）が設けられており、
前記電源および前記センサの間で遮断、接続のいずれか一方を行うセンサ用電源遮断回路（２００）と、を備えており、
前記センサ用電源遮断回路は、前記マイクロコンピュータから出力される制御信号を受信すると前記電源および前記センサの間を接続し、また前記マイクロコンピュータによる前記制御信号の出力が停止されると前記電源および前記センサの間を遮断するようになっていることを特徴とする請求項１ないし３のいずれか１つに記載の給湯装置用電子制御装置。
【発明の詳細な説明】
【技術分野】
【０００１】
本発明は、電動アクチュータを制御するマイクロコンピュータを内蔵する給湯装置用電子制御装置に関する。
【背景技術】
【０００２】
従来、給湯装置用電子制御装置において、電磁弁、混合弁の各種の電動アクチュータを制御するマイクロコンピュータと、電動アクチュータおよび電源の間を遮断する電源遮断回路とを備えるものがある（例えば、特許文献１参照）。
【０００３】
このものにおいて、例えば、所定の電動アクチュータに対して電力供給する必要がないときには、マイクロコンピュータが電源遮断回路を制御して電動アクチュータおよび電源の間を遮断することにより、待機状態における給湯装置の消費電力量を低減させている。
【特許文献１】特許第３５３６７０２号明細書
【発明の開示】
【発明が解決しようとする課題】
【０００４】
ところで、上述の電子制御装置では、電動アクチュータ及び電源遮断回路は、マイクロコンピュータにより制御されており、電動アクチュータの駆動を制御するための駆動信号や、電源遮断回路を制御するための電源制御信号をマイクロコンピュータから出力することが必要になる。
【０００５】
このため、マイクロコンピュータには、電動アクチュータに駆動信号を出力する制御端子以外に、電源遮断回路に電源制御信号を出力する制御端子も必要になる。したがって、数多くの電動アクチュータやセンサをマイクロコンピュータに接続するには、端子数が多いマイクロコンピュータを選択することが必要になり、マイクロコンピュータの選択の自由度が減るといった問題が生じる。
【０００６】
なお、マイクロコンピュータから出力される１つの制御信号を用いて、電動アクチュータ及び電源遮断回路をそれぞれ同時に制御することも考えられるが、電動アクチュータとして制御回路を内蔵するものを用いた場合には、電動アクチュータに電源供給を開始するタイミングと、電動アクチュータに駆動信号を出力するタイミングとを、オフセットする必要がある場合があり、１つの制御信号だけで、電動アクチュータ及び電源遮断回路を制御することが不可能である。
【０００７】
本発明は、上記点に鑑み、給湯装置用電子制御装置において、マイクロコンピュータの選択の自由度を広げるようにすることを目的とする。
【課題を解決するための手段】
【０００８】
上記目的を達成するため、請求項１に記載の発明では、
電源（１５０）から電力供給されて動作する電動アクチュエータ（２４、２５、２６）を備える給湯装置に適用される給湯装置用電子制御装置であって、
前記電源および前記電動アクチュエータの間で遮断、接続のいずれか一方を行うアクチュエータ用電源遮断回路（２００）と、
前記電源および前記電動アクチュエータの間を接続する為の制御信号を前記アクチュエータ用電源遮断回路に出力するマイクロコンピュータ（１４０）と、
前記マイクロコンピュータから出力される制御信号を受信すると、一定期間（Ｔ２）経過後にて、前記電動アクチュエータの動作を開始させる為の駆動信号を前記電動アクチュエータに出力するアクチュエータ用遅延回路（２１０）と、を備えており、
前記マイクロコンピュータにより前記制御信号の出力が停止されると、前記アクチュエータ用電源遮断回路により前記電源および前記電動アクチュエータの間を遮断し、さらに前記アクチュエータ用遅延回路により前記駆動信号の出力が停止されるようになっていることを特徴とする。
【０００９】
したがって、アクチュエータ用遅延回路を採用しているので、マイクロコンピュータから出力される１つの制御信号で、アクチュエータ用電源遮断回路の制御だけでなく、アクチュエータ用遅延回路の制御を行うことができる。これに伴い、１つの制御信号だけで、電動アクチュエータへの電力供給及び停止に加えて、電動アクチュエータへの駆動信号の出力およびその停止を行うことができる。このため、マイクロコンピュータにおいては、１つの電動アクチュータを制御するに際して１つの制御信号を出力する制御端子だけが用いられるため、従来に比べて、必要な制御端子の数が少なくなり、マイクロコンピュータの選択の自由度が増えることになる。
【００１０】
ところで、上述の従来技術では、マイクロコンピュータにより電動アクチュータ及び電源遮断回路を個別に制御するため、マイクロコンピュータには、電動アクチュータを制御する制御プログラム以外に、電源遮断回路を制御する制御プログラムを格納できるメモリ領域を確保する必要がある。したがって、メモリ領域の広いマイクロコンピュータを選択することも必要になり、更にマイクロコンピュータの選択の自由度を狭めている。
【００１１】
これに対して、請求項１に記載の発明によれば、マイクロコンピュータから出力される１つの制御信号により、アクチュエータ用電源遮断回路及び電動アクチュエータが制御されている。このため、マイクロコンピュータとしては、当該１つの制御信号を出力するための制御プログラムを実行するだけでよく、メモリ領域としても、従来に比べて広い領域を確保する必要がなくなるため、マイクロコンピュータの選択の自由度を広げることができる。
【００１２】
請求項２に記載の発明では、前記給湯装置には、二つ以上の前記電動アクチュエータ（２４、２５、２６）が設けられており、前記アクチュエータ用電源遮断回路は、前記二つ以上の電動アクチュエータおよび前記電源の間で遮断、接続のいずれか一方を行うものであることを特徴とする。
【００１３】
したがって、二つ以上の電動アクチュエータに対して１つのアクチュエータ用電源遮断回路を共通利用して電源供給およびその停止を行うことができる。したがって、二つ以上の電動アクチュエータに対してアクチュエータ用電源遮断回路を個々に設ける場合に比べて回路構成を縮小化することができる。
【００１４】
具体的には、請求項３に記載の発明の如く、アクチュエータ用電源遮断回路は、積分回路を有して構成してもよい。
【００１５】
請求項４に記載の発明では、前記給湯装置には、前記電源から電力供給されて、検出対象の状態を検出して検出出力を前記マイクロコンピュータの入力端子に出力するセンサ（５０）が設けられており、
前記電源および前記センサの間で遮断、接続のいずれか一方を行うセンサ用電源遮断回路（２００）と、を備えており、
前記センサ用電源遮断回路は、前記マイクロコンピュータから出力される制御信号を受信すると前記電源および前記センサの間を接続し、また前記マイクロコンピュータによる前記制御信号の出力が停止されると前記電源および前記センサの間を遮断するようになっていることを特徴とする。
【００１６】
請求項４に記載の発明よれば、マイクロコンピュータから出力される制御信号を利用してセンサ用電源遮断回路を制御して電源およびセンサの間で遮断、接続を行うことになる。このため、マイクロコンピュータとしては、アクチュエータ用電源遮断回路およびセンサ用電源遮断回路に対してそれぞれ独立して制御信号を出力する必要が無く、センサ用電源遮断回路を制御するに際しても制御端子の数が増えない。したがって、マイクロコンピュータの選択の自由度がより一層増えることになる。
【００１７】
なお、上記各手段の括弧内の符号は、後述する実施形態に記載の具体的手段との対応関係を示すものである。
【発明を実施するための最良の形態】
【００１８】
（第１実施形態）
本実施形態は、本発明に係る給湯装置用電子制御装置を一般家庭用の給湯装置に適用したものであって、図１は一般家庭用の給湯装置の全体構成図であり、以下、一般家庭用の給湯装置の概略構成について説明する。
【００１９】
一般家庭用の給湯装置は、ヒートポンプユニット１０と貯湯タンクユニット２０と大別される。ヒートポンプユニット１０は、高温温水を発生する周知の熱交換器を備えており、貯湯タンクユニット２０は縦長の貯湯タンク２１を有し、ヒートポンプユニット１０で加熱された高温温水が温水配管８０を通して貯湯タンク２１の最上部の給湯口から貯湯タンク２１内に流入する。そして、貯湯タンク２１の底部の出口から温水が図示しない電動ポンプにより温水配管８１を通してヒートポンプユニット１０の熱交換器に流入する。
【００２０】
ここで、貯湯タンク２１の底部には、水道水等を給水するための給水入口８２が設けてある。この給水入口８２に接続される給水配管８３の途中から給水配管８４が分岐している。この給水配管８４は給水配管８４ａ、８４ｂに分岐して混合弁２２、２３に接続されている。ここで、貯湯タンク２１には、その内部の温水温度を検出するサーミスタ（温度センサ）３０ａ〜３０ｇをタンク上下方向の異なる高さに複数設けてある。
【００２１】
なお、貯湯タンク２１底部の出口に接続される温水配管８１には三方弁２１が直列的に接続されており、この三方弁２１は、温水配管８１、８０の間を接続する。
【００２２】
一方、混合弁２２は、給水配管８４ａと、貯湯タンク２１最上部の給湯口から高温の温水が流れる給湯配管８５ａと、を合流させており、この混合弁２２で混合される温水は、給湯配管８７を通してシャワー、洗面所などの出湯口７１に向かって流れる。
【００２３】
ここで、混合弁２２は、給水配管８４ａ内を流れる水道水と、給湯配管８５ａ内を流れる高温温水との混合比率を調整することにより、出湯口７１から出湯口７１から出湯する温水温度を調整することになる。また、給湯配管８７内にはその配管内部を流れる温水温度および温水流量を検出するサーミスタ３１、流量カウンタ５０が設けられている。
【００２４】
一方、混合弁２３は、給水配管８４ｂと、貯湯タンク２１最上部の給湯口から高温の温水が流れる給湯配管８５ｂと、を合流させており、この混合弁２３で混合される温水は、矢印Ｙ１の如く、給湯配管８６および三方弁２４を通して浴槽７４内に出湯される。
【００２５】
混合弁２３は、給水配管８４ｂ内を流れる水道水と、給湯配管８５ｂ内を流れる高温温水との混合比率を調整することにより、浴槽７４内に出湯される温水温度を調整することになる。
【００２６】
ここで、給湯配管８６には、電磁弁２５、流量カウンタ５１、逆止弁７２、７３、フロースイッチ６０がそれぞれ直列的に配置されており、電磁弁２５は、混合弁２３および浴槽７４の間を開閉する弁であり、フロースイッチ６０は、給湯配管８６内の温水の流れをスイッチの開閉で検出するセンサである。また、給湯配管８６から浴槽７４内に出湯される温水温度を検出するサーミスタ３２が設けられている。
【００２７】
また、浴槽７４内の温水を保温する際には、三方弁２４を切り替えて、矢印Ｙ２の如く温水が流れる閉回路を形成し、この閉回路によって浴槽７４および風呂保温熱交換器７０の間で温水が循環ポンプ６１により循環する。
【００２８】
ここで、風呂保温熱交換器７０は、貯湯タンク２１内に配置されて、貯湯タンク２１内の高温温水と、温熱交換器７０内部を流れる温水との間で熱交換して温熱交換器７０内の温水を加熱する。
【００２９】
また、閉回路には電動弁２６が直列的に配置されており、電動弁２６は浴槽７４および循環ポンプ６１の間を開閉する弁である。なお、図１中符号７１はタンク保護用サーモスタットであり、符号７１は止水栓である。
【００３０】
次に、本実施形態の給湯装置の電気回路構成について図２を用いて説明する。
【００３１】
すなわち、本実施形態の給湯装置は図２に示す電子制御装置１００を備えており、この電子制御装置１００は、入力回路１１０、出力回路１２０、通信回路１３０、マイクロコンピュータ１４０、および電源回路１５０を備えている。
【００３２】
入力回路１１０は、後述する積分回路を備えており、積分回路は、サーミスタ３０ａ〜３０ｇ、３１〜３４から出力される検出信号に対して波形整形等の信号処理を施してマイクロコンピュータ１４０に出力する。
【００３３】
なお、サーミスタ３０ａ〜３０ｇの検出信号は、タンク上下方向の温水温度の勾配を判定し、その勾配から、貯湯タンク２１内上部に所定温度（例えば６０℃）以上の高温温水が必要量あるかどうか、つまり、湯切れ状態の有無を判定できる。そして、貯湯タンク２１内に所定温度（例えば６０℃）以上の高温温水が必要量以上無いときは湯切れ状態であると判定して、ヒートポンプユニット１０の加熱作動を始動して湯切れを未然に防止するようになっている。
【００３４】
また、入力回路１１０には、流量カウンタ５０、５１の個々に対応して積分回路が設けられており、各々の積分回路は、流量カウンタ５０、５１で検出される温水流量を示す検出信号に対して波形整形等の信号処理を施してマイクロコンピュータ１４０に出力する。
さらに、入力回路１１０には、水位センサ４０、フロースイッチ６０の個々に対応して積分回路が設けられており、各積分回路は、水位センサ４０、フロースイッチ６０から出力される検出信号に対して波形整形等の信号処理を施してマイクロコンピュータ１４０に出力する。
【００３５】
また、入力回路１１０には、流量カウンタ５１および電源回路１５０の間にて遮断、接続する電源遮断回路が設けられており、この電源遮断回路は、電源回路１５０から流量カウンタ５１への電力供給およびその停止を行う。
【００３６】
一方、出力回路１２０は、循環ポンプ６１、電磁弁２５、電動弁２６、三方弁２１、２４、混合弁２２、２３等の各電動アクチュエータのそれぞれに電源回路１５０から供給される電力を供給したり、マイクロコンピュータ１４０からの制御信号を各電動アクチュエータに出力したりする。
【００３７】
特に、電磁弁２５、電動弁２６、三方弁２４に対応して、個々に電源遮断回路が設けられており、各電源遮断回路は、マイクロコンピュータ１４０から出力される制御信号に基づいて、電動アクチュエータ（例えば、循環ポンプ６１）および電源回路１５０の間にて遮断、接続する。さらに、出力回路１２０においては、電磁弁２５、電動弁２６、三方弁２４に対応して遅延回路が設けられており、この遅延回路は、マイクロコンピュータ１４０からの制御信号を受信すると一定期間経過後にて、電動アクチュエータの動作を開始させる為の駆動信号を出力する。
【００３８】
ここで、電磁弁２５、電動弁２６、三方弁２４に対応して個々に電源遮断回路を採用した理由について説明すると、電磁弁２５、電動弁２６、三方弁２４といった３つの風呂系電動アクチュエータは、浴槽７４内に出湯するときや浴槽７４内の温水を保温（追い炊き）する風呂モードにて動作するものである。
【００３９】
このため、浴槽７４内に出湯するときや浴槽７４内の温水を保温する風呂モード以外には、電磁弁２５、電動弁２６、三方弁２４に対して電力供給する必要がない。そこで、風呂モード時以外には、電磁弁２５、電動弁２６、三方弁２４に対して電力供給を停止するため、風呂系電動アクチュエータ毎に電源遮断回路を採用した。
【００４０】
また、通信回路１３０は、台所リモコンＲ１、浴室リモコンＲ２とマイクロコンピュータ１４０との間で通信する。
【００４１】
また、マイクロコンピュータ１４０は、台所リモコンＲ１、浴室リモコンＲ２、サーミスタ３０ａ〜３０ｇ、３１〜３４、流量カウンタ５０、５１、水位センサ４０、フロースイッチ６０の個々の検出信号に基づいて、循環ポンプ６１、電磁弁２５、三方弁２１、２４、混合弁２２、２３等の電動アクチュエータを制御する。さらに、電源回路１５０は商用電源から供給される交流電源電圧に基づいて直流１２Ｖ、５Ｖの電圧を発生する。
【００４２】
次に、出力回路１２０について図３、図４を参照して説明する。
【００４３】
先ず、図３を参照して、出力回路１２０の回路構成の詳細につき、電磁弁２５に対応して設けられる電源遮断回路２００および遅延回路２１０を例にとって説明する。図３は、電源遮断回路２００および遅延回路２１０の回路構成を示す電子回路図である。
【００４４】
電源遮断回路２００は、マイクロコンピュータ１４０の制御端子から出力される制御信号（パルス信号）の論理を反転して反転信号を出力するインバータ回路２０１と、このインバータ回路２０１から抵抗素子２０２、２０３を通して入力される反転信号に基づいてスイッチングして電源回路１５０の出力端子（５Ｖ）および電磁弁２５の電源端子（＋）の間を遮断、接続するＰＮＰ型トランジスタ２０４と、抵抗素子２０２、２０３の共通接続端子およびグランドの間に接続されるコンデンサ２０５とを備えている。
【００４５】
具体的には、マイクロコンピュータ１４０が制御端子から制御信号としてハイレベル信号を出力する。すなわち、図４（ａ）に示すように、当該制御端子の出力電圧がローレベルからハイレベルに変化すると、インバータ２０１の出力端子の出力信号も、ハイレベルからローレベルに変化する。このため、コンデンサ２０５に蓄えられた電荷が抵抗素子２０２を通してインバータ２０１の出力端子に向かって流れ込む。これに伴い、図４（ｂ）に示すように、トランジスタ２０４のベース端子の電圧（以下、ベース電圧という。）も、ハイレベルから徐々に低下する。
【００４６】
したがって、ベース電圧が低下し始めてから時間Ｔ１経過すると、その電圧値は、一定電圧値未満になり、トランジスタ２０４は、オフ状態からオン状態に遷移する。すなわち、トランジスタ２０４は、エミッタ及びコレクタ間を接続するため、電源回路１５０の出力端子（５Ｖ）および電磁弁２５の電源端子（＋）の間を接続する。これに伴い、図４（ｃ）に示すように、電源回路１５０から電磁弁２５への通電が開始されることになる。
【００４７】
また、マイクロコンピュータ１４０から出力される制御信号（すなわち、ハイレベル信号）は遅延回路２１０にも入力され、コンデンサ２１２には、制御信号に基づき電荷が蓄えられることになるため、図４（ｄ）に示すように、コンデンサ２１２の正極端子の電圧が徐々に上昇する。このため、制御信号が入力されて時間Ｔ２経過すると、正極端子の電圧は、一定電圧値を越え、インバータ２１３の出力電圧は、駆動信号としてのローレベル信号を電磁弁２５の制御端子に出力開始する。このため、図４（ｅ）に示すように、電磁弁２５は非駆動状態から駆動状態に遷移することになる。
【００４８】
そして、制御信号が出力されて時間Ｔ０経過すると、マイクロコンピュータ１４０により制御信号の出力が停止される。換言すれば、図４（ａ）に示すように、マイクロコンピュータ１４０の制御端子から出力される出力信号は、ハイレベル信号からローレベル信号に切り替わることになる。これに伴い、インバータ２０１の出力信号も、ローレベルからハイレベルに変化する。このため、インバータ２０１からコンデンサ２０５に電流が抵抗素子２０２を通して流入して電荷が蓄えられる。
【００４９】
これに伴い、図４（ｂ）に示すように、トランジスタ２０４のベース電圧も、上昇して時間Ｔ５経過すると、その電圧値は、一定電圧値以上になり、トランジスタ２０４は、オン状態からオフ状態に遷移する。すなわち、トランジスタ２０４は、エミッタ及びコレクタ間を遮断するため、電源回路１５０の出力端子（５Ｖ）および電磁弁２５の電源端子（＋）の間を遮断する。これに伴い、図４（ｃ）に示すように、電源回路１５０から電磁弁２５への通電が停止（電源遮断）されることになる。
【００５０】
また、マイクロコンピュータ１４０からの制御信号（すなわち、ハイレベル信号）の出力が停止されると、マイクロコンピュータ１４０の制御端子の電圧がローレベルに変化するため、図４（ｄ）に示すように、コンデンサ２１２の正極端子の電圧が徐々に低下する。このため、制御信号の出力停止から時間Ｔ６経過すると、正極端子の電圧は、一定電圧値未満になり、インバータ２１３の出力電圧は、ハイレベル信号を電磁弁２５の制御端子に出力開始する。このため、図４（ｅ）に示すように、電磁弁２５は駆動状態から非駆動状態に遷移することになる。
【００５１】
次に、本実施形態の作用効果について説明する。すなわち、本実施形態では、電源回路１５０から電力供給されて動作する電磁弁等の風呂系電動アクチュエータ２４、２５、２６を備える給湯装置に適用される電子制御装置１００であって、電源回路１５０および風呂系電動アクチュエータ２４、２５、２６の間で遮断、接続のいずれか一方を行う電源遮断回路２００と、電源回路１５０および風呂系電動アクチュエータ２４、２５、２６の間を接続する為の制御信号を電源遮断回路２００に出力するマイクロコンピュータ１４０と、マイクロコンピュータ１４０から出力される制御信号を受信すると、一定期間（Ｔ２）経過後にて、風呂系電動アクチュエータ２４、２５、２６の動作をそれぞれ開始させる為の駆動信号を風呂系電動アクチュエータ２４、２５、２６に出力する遅延回路２１０と、を備えている。
【００５２】
また、マイクロコンピュータ１４０により制御信号の出力が停止されると、電源遮断回路２００により電源回路１５０および風呂系電動アクチュエータ２４、２５、２６の間を遮断し、かつ遅延回路２１０により駆動信号の出力が停止されるようになっていることを特徴とする。
【００５３】
したがって、マイクロコンピュータ１４０から出力される１つの制御信号で、電源遮断回路２００の制御だけでなく、遅延回路２１０の制御を行うことができる。これに伴い、１つの制御信号だけで、風呂系電動アクチュエータ２４、２５、２６への電力供給及び停止に加えて、風呂系電動アクチュエータ２４、２５、２６への駆動信号の出力およびその停止を行うことができる。したがって、マイクロコンピュータ１４０においては、１つの電動アクチュータに対して、制御信号を出力する１つ制御端子だけが用いられるため、従来に比べて、必要な制御端子の数が少なくなり、マイクロコンピュータ１４０の選択の自由度が増えることになる。
【００５４】
ところで、上述の従来技術では、マイクロコンピュータにより電動アクチュータ及び電源遮断回路を個別に制御するため、マイクロコンピュータには、電動アクチュータを制御する制御プログラム以外に、電源遮断回路を制御する制御プログラムを格納できるメモリ領域を確保する必要がある。したがって、メモリ領域の広いマイクロコンピュータを選択することが必要になり、マイクロコンピュータの選択の自由度を狭めている。
【００５５】
これに対して、本実施形態によれば、マイクロコンピュータ１４０から出力される１つの制御信号により、電源遮断回路２００及び風呂系電動アクチュエータ２４、２５、２６が制御されている。このため、マイクロコンピュータ１４０としては、当該１つの制御信号を出力するための制御プログラムを実行するだけでよく、メモリ領域としても、従来に比べて広い領域を確保する必要がなくなるため、マイクロコンピュータ１４０の選択の自由度を広げることができる。
【００５６】
（第２実施形態）
上述の第１実施形態においては、風呂系電動アクチュエータ２４（２５、２６）に対して個々に電源遮断回路２００を採用した例について説明したが、これに限らず、例えば、二つ以上の風呂系電動アクチュエータに対して１つの電源遮断回路２００を共通利用するように構成してもよい。この場合の回路構成を図５に示す。
【００５７】
図５においては、二つの風呂系電動アクチュエータ２５、２６に対して１つの電源遮断回路２００が設けられており、電源遮断回路２００のトランジスタ２０４のコレクタ端子に対して、風呂系電動アクチュエータ２５、２６の電源端子（＋）がそれぞれ接続されている。このため、電源遮断回路２００が、マイクロコンピュータ１４０からの制御信号に基づいて、電源回路１５０から風呂系電動アクチュエータ２５、２６への電力供給及びその停止を行うことができる。
【００５８】
また、マイクロコンピュータ１４０は、風呂系電動アクチュエータ２５、２６の制御端子に対してそれぞれ独立して制御信号を出力する。ここで、風呂系電動アクチュエータ２６の制御端子に対しては制御信号がインバータ２１３ａを介して送られる。
【００５９】
次に、本第２実施形態の作用効果について説明する。すなわち、本第２実施形態の電子制御装置１００は、二つの風呂系電動アクチュエータ２５、２６に対して１つの電源遮断回路２００が設けられ、１つの電源遮断回路２００を共通利用して、電源回路１５０から二つの風呂系電動アクチュエータ２５、２６への電力供給及びその停止を行うことができる。したがって、二つの風呂系電動アクチュエータ２５、２６に対して電源遮断回路２００を個々に設ける場合に比べて回路構成を縮小化することができる。
【００６０】
上述の第２実施形態においては、１つの電源遮断回路２００を共通利用して、電源回路１５０から二つの風呂系電動アクチュエータ２５、２６への電力供給及びその停止を行うようにした例について説明したが、これに限らず、１つの電源遮断回路２００を共通利用して、電源回路１５０から三つ以上の風呂系電動アクチュエータへの電力供給及びその停止を行うようにしてもよい。
【００６１】
（第３実施形態）
上述の第２実施形態では、電源遮断回路２００にてコンデンサ２０５を採用して、マイクロコンピュータ１４０からの制御信号を受けて一定期間経過するとトランジスタ２０４がオンして、マイクロコンピュータ１４０による制御信号の出力停止後一定期間経過するとトランジスタ２０４がオフするように遅延回路を構成する例について説明したが、これに限らず、図６に示すように、コンデンサ２０５を削除して、遅延回路を構成しないようにしてもよい。
【００６２】
また、図６に示す回路構成では、風呂系電動アクチュエータ２５の制御端子に駆動信号を出力する遅延回路２１０としては、図３に示すようにマイクロコンピュータ１４０の制御端子に接続されるのでなく、電源遮断回路２００のトランジスタ２０４のコレクタ端子に接続されている。
【００６３】
（第４実施形態）
上述の第１実施形態では、電磁弁２５に対応して設けられる電源遮断回路２００は、マイクロコンピュータ１４０からの制御信号に基づいて制御されるように構成した例について説明したが、これに限らず、図７に示すように回路構成してもよい。
【００６４】
すなわち、図７に示す回路構成では、流量カウンタ５１に対応して電源遮断回路２００ａが設けられ、風呂系電動アクチュエータ２５に対応して電源遮断回路２００設けられている。そして、電源遮断回路２００ａは、電源遮断回路２００のコンデンサ２０５の正極端子の電位に基づいて、作動する。
【００６５】
具体的には、電源遮断回路２００ａは、逆流防止用ダイオードＤ１および抵抗素子２０３ａを介してベース端子に接続されるＰＮＰ型トランジスタ２０４ａを備えており、ＰＮＰ型トランジスタ２０４ａのコレクタ端子が、流量カウンタ５０の電源端子（＋）に接続され、エミッタ端子が電源回路１５０の電源端子（５Ｖ）に接続されている。
【００６６】
したがって、マイクロコンピュータ１４０が制御信号をインバータ回路２０１に出力して、このインバータ回路２０１がローレベル信号を出力する。これに伴い、コンデンサ２０５の正極端子の電位が低下すると、電源回路１５０の電源端子（１２Ｖ）から電流が、トランジスタ２０４ａのエミッタ端子及びベース端子の間を経て、抵抗素子２０３ａおよび逆流防止用ダイオードＤ１を通してコンデンサ２０５に流れる。その後、トランジスタ２０４ａがオンして電源回路１５０および流量カウンタ５１の間を接続するため、電源回路１５０から流量カウンタ５１に電力供給される。
【００６７】
すなわち、トランジスタ２０４ａが、マイクロコンピュータ１４０による制御信号に基づいて、電源遮断回路２００ａおよび流量カウンタ５１の間を接続することになる。
【００６８】
一方、マイクロコンピュータ１４０による制御信号の出力を停止、すなわち、ローレベル信号をインバータ回路２０１に出力すると、このインバータ回路２０１がハイレベル信号を出力する。これに伴い、コンデンサ２０５の正極端子の電位が上昇すると、トランジスタ２０４ａベース端子側からコンデンサ２０５側に電流が流れなくなる。したがって、トランジスタ２０４ａがオフして電源回路１５０および流量カウンタ５１の間を遮断するため、電源回路１５０から流量カウンタ５１への電力供給が停止される。
【００６９】
すなわち、トランジスタ２０４ａが、マイクロコンピュータ１４０による制御信号の出力停止に基づいて、電源回路１５０および流量カウンタ５１の間を遮断することになる。
本実施形態によれば、電源遮断回路２００ａのトランジスタ２０４ａが、マイクロコンピュータ１４０による制御信号に応じて、電源回路１５０および流量カウンタ５１の間で接続、遮断を行う。したがって、マイクロコンピュータ１４０としては、電源遮断回路２００、２００ａに対してそれぞれ独立して制御信号を出力する必要が無く、電源遮断回路２０ａを制御するに際しても制御端子の数を増やす必要が無い。したがって、マイクロコンピュータ１４０の選択の自由度がより一層増えることになる。
【００７０】
（その他の実施形態）
上述の各実施形態では、電源遮断回路２００、２００ａのトランジスタ２０４ａとして、ＰＮＰ型トランジスタを用いた例について説明したが、これに限らず、電界効果型トランジスタなど各種の半導体スイッチや機械式リレーを採用してもよい。
【００７１】
上述の実施形態では、本発明に係る給湯装置として一般家庭用の給湯装置を適用した例について説明したが、これに限らず、本発明に係る給湯装置として業務の給湯装置を適用してもよい。
【００７２】
以下、上記実施形態と特許請求項の範囲の構成との対応関係について説明すると、電源回路１５０が請求項１に記載の電源に相当し、出力回路１２０内に構成される遮断回路２００が、請求項１に記載のアクチュエータ用電源遮断回路に相当し、出力回路１２０内に構成される遅延回路２１０が請求項１に記載のアクチュエータ用遅延回路に相当し、風呂系電動アクチュエータ２５、２６が請求項２に記載の二つの電動アクチュエータに相当し、流量カウンタ５１が「検出対象の状態を検出して検出出力をマイクロコンピュータの入力端子に出力するセンサ」に相当する。
【図面の簡単な説明】
【００７３】
【図１】本発明の第１実施形態に係る給湯装置の概略構成を示す模式図である。
【図２】図１の給湯装置の電気回路構成を示すブロック図である。
【図３】図２の電子制御装置の一部の回路構成を詳細に示す電気回路図である。
【図４】図３の電気回路図の作動を説明するためのタイミングチャートである。
【図５】本発明の第２実施形態に係る給湯装置用電子制御装置の部分的回路構成を示す電気回路図である。
【図６】本発明の第３実施形態に係る給湯装置用電子制御装置の部分的回路構成を示す電気回路図である。
【図７】本発明の第４実施形態に係る給湯装置用電子制御装置の部分的回路構成を示す電気回路図である。
【符号の説明】
【００７４】
２４〜２６…風呂系電動アクチュエータ、
１００…給湯装置用電子制御装置、１４０…マイクロコンピュータ、
２００…電源遮断回路、２１０…遅延回路。
【図１】
2006138529.tif 000003
【図２】
2006138529.tif 000004
【図３】
2006138529.tif 000005
【図４】
2006138529.tif 000006
【図５】
2006138529.tif 000007
【図６】
2006138529.tif 000008
【図７】
2006138529.tif 000009